(57)【要約】【課題】モータを過負荷から保護できるとともに鉄道車両における乗心地を向上できる鉄道車両用制振装置の提供である。【解決手段】鉄道車両用制振装置１は、作動流体の供給により伸縮するシリンダ本体Ｃｙと、シリンダ本体Ｃｙへ作動流体を供給するポンプ１２と、ポンプ１２を駆動するモータ１５とを有して鉄道車両に設置されるアクチュエータＡと、モータ１５を制御する制御部Ｃとを備え、制御部Ｃは、モータ１５の過熱状態を示す指標Ｈｉが第一閾値αを超過すると強制停止する保護機能を有し、指標Ｈｉが第一閾値αよりも低い第二閾値βを超過すると、指標Ｈｉが第二閾値βよりも低い第三閾値γ以下になるまで指標Ｈｉが低下するようにモータ１５への通電を制御する。【選択図】図２
2019155935.tif 000002
【特許請求の範囲】
【請求項１】
作動流体の供給により伸縮するシリンダ本体と、前記シリンダ本体へ前記作動流体を供給するポンプと、前記ポンプを駆動するモータとを有して鉄道車両に設置されるアクチュエータと、
前記モータを制御する制御部とを備え、
前記制御部は、
前記モータの過熱状態を示す指標が第一閾値を超過すると強制停止する保護機能を有し、
前記指標が前記第一閾値よりも低い第二閾値を超過すると、前記指標が前記第二閾値よりも低い第三閾値以下になるまで前記指標が低下するように前記モータへの通電を制御する
ことを特徴とする鉄道車両用制振装置。
【請求項２】
前記制御部は、前記指標が前記第一閾値よりも低い前記第二閾値を超過すると、前記指標が前記第二閾値よりも低い第三閾値以下になるまで前記モータへの通電を停止する
ことを特徴とする請求項１に記載の鉄道車両用制振装置。
【請求項３】
前記アクチュエータは、前記モータが停止していると、セミアクティブダンパ或いはパッシブダンパとして機能する
ことを特徴とする請求項２に記載の鉄道車両用制振装置。
【請求項４】
前記制御部は、前記指標が前記第一閾値よりも低い前記第二閾値を超過すると、前記指標が前記第二閾値よりも低い第三閾値以下になるまで、前記モータを駆動する駆動部へ与える電流指令のゲインを低下させる
ことを特徴とする請求項１に記載の鉄道車両用制振装置。
【請求項５】
前記制御部は、前記指標が前記第一閾値よりも低い前記第二閾値を超過すると、前記指標が前記第二閾値よりも低い第三閾値以下になるまで、前記モータの出力トルクを定格トルク未満に制限する
ことを特徴とする請求項１に記載の鉄道車両用制振装置。
【請求項６】
前記アクチュエータは、流体圧回路と、タンクとを備え、
前記シリンダ本体は、
シリンダと、
前記シリンダ内に摺動自在に挿入されるピストンと、
前記シリンダ内に挿入されてピストンに連結されるロッドと、
前記シリンダ内にピストンで区画したロッド側室とピストン側室とを有し、
前記流体圧回路は、
前記ロッド側室と前記ピストン側室とを連通する第一通路の途中に設けた第一開閉弁と、
前記ピストン側室と前記タンクとを連通する第二通路の途中に設けた第二開閉弁と、
前記ロッド側室と前記タンクとを接続する排出通路と、
前記排出通路の途中に設けた開弁圧を変更可能な可変リリーフ弁と、
前記ピストン側室からロッド側室へ向かう作動流体の流れのみを許容する整流通路と、
前記タンクから前記ピストン側室へ向かう作動流体の流れのみを許容する吸込通路とを有し、
前記ポンプは、前記ロッド側室へ前記作動流体を供給する
ことを特徴とする請求項１から５のいずれか一項に記載の鉄道車両用制振装置。
【発明の詳細な説明】
【技術分野】
【０００１】
本発明は、鉄道車両用制振装置の改良に関する。
【背景技術】
【０００２】
従来、この種の鉄道車両用制振装置にあっては、たとえば、鉄道車両に車体の進行方向に対して左右方向の振動を抑制すべく、車体と台車との間に介装されて使用されるものが知られている。
【０００３】
より詳しくは、鉄道車両用制振装置は、シリンダと、シリンダ内に摺動自在に挿入されてシリンダ内をロッド側室とピストン側室とに区画するピストンと、シリンダ内に挿入されてピストンに連結されるロッドとを備えて車体と台車との間に介装されるアクチュエータと、タンクと、ロッド側室とピストン側室とを連通する第一通路の途中に設けた第一開閉弁と、ピストン側室とタンクとを連通する第二通路の途中に設けた第二開閉弁と、ロッド側室へ作動油を供給するポンプと、ポンプを駆動するモータと、ロッド側室を前記タンクへ接続する排出通路と、当該排出通路の途中に設けられ開弁圧を変更可能な可変リリーフ弁とを備えており、前記したポンプ、第一開閉弁、第二開閉弁および可変リリーフ弁を駆動して、伸縮双方へ推力を発揮でき、この推力で車体の振動を抑制するようになっている（たとえば、特許文献１参照）。
【先行技術文献】
【特許文献】
【０００４】
【特許文献１】特開２０１０−６５７９７号公報
【発明の概要】
【発明が解決しようとする課題】
【０００５】
従来の鉄道車両用制振装置は、モータでポンプを一定の回転速度（単位時間当たりの回転数）で駆動し、車体の振動状況に応じて第一開閉弁、第二開閉弁および可変リリーフ弁を適宜駆動し、油圧を利用して車体の振動を抑制する推力を得て車体を制振する。
【０００６】
このような従来の鉄道車両用制振装置では、鉄道車両がポイントを通過する際等、車体が高速で振動する状況では、アクチュエータの伸縮速度も速くなる。
【０００７】
アクチュエータが高速で伸縮するとアクチュエータ内の圧力が一時的に過大となる場合がある。このような場合にもポンプを等速回転させるためにはモータに定格トルク以上のトルクを発生させる必要がある。
【０００８】
モータは、一般的には、起動時等では定格トルクを超えるトルク（以下、「過トルク」という）を出力する必要があるので、過トルクの出力が可能となっている。しかしながら、モータが過トルクを出力し続けるとモータが焼付く、所謂、焼損するので、モータを過負荷から保護するために、このような過トルクを出力しても焼損に至らないよう過トルクの出力時間を制限している。具体的には、モータを駆動するモータドライバは、モータが定格トルクを超えた度合と時間を積算してカウントして得た値を指標として、指標が閾値に達すると、モータの緊急停止処理を実行する。
【０００９】
よって、従来の鉄道車両用制振装置は、ポイント通過時等では、モータの保護のためにモータが緊急停止してしまって制振制御が中断してしまう場合がある。モータが緊急停止してしまうと、モータを再起動させるにはリセットするより他なく、鉄道車両の運行中に制振制御の復帰ができないので鉄道車両における乗心地を悪くする一因となっている。
【００１０】
そこで、本発明の目的は、モータを過負荷から保護できるとともに鉄道車両における乗心地を向上できる鉄道車両用制振装置の提供である。
【課題を解決するための手段】
【００１１】
本発明の鉄道車両用制振装置は、作動流体の供給により伸縮するシリンダ本体と、シリンダ本体へ作動流体を供給するポンプと、ポンプを駆動するモータとを有して鉄道車両に設置されるアクチュエータと、モータを制御する制御部とを備え、モータの過熱状態を示す指標が第一閾値を超過すると強制停止する保護機能を有し、指標が第一閾値よりも低い第二閾値を超過すると、指標が第二閾値よりも低い第三閾値以下になるまで指標が低下するようにモータへの通電を制御するようになっている。このように鉄道車両用制振装置は、モータの焼損を防止できモータを過負荷から保護でき、モータの温度を低下させてからモータの通常通電を再開し得る。
【００１２】
また、鉄道車両用制振装置は、指標が第一閾値よりも低い第二閾値を超過すると、指標が第二閾値よりも低い第三閾値以下になるまでモータへの通電を停止するようになっていてもよい。このように構成された鉄道車両用制振装置によれば、モータへの通電を停止するので、モータの温度上昇を速やかに停止させ得るので、モータの停止から通常通電の再開までに要する時間が短くて済む。よって、このように構成された鉄道車両用制振装置によれば、アクチュエータがアクチュエータとして機能できない時間が短くなり、鉄道車両における乗心地が悪化する時間を最小限に留め得る。
【００１３】
さらに、鉄道車両用制振装置におけるアクチュエータは、モータが停止しているとセミアクティブダンパ或いはパッシブダンパとして機能するようになっていてもよい。このように構成された鉄道車両用制振装置では、モータが停止されてから通常通電に復帰するまでのアクチュエータがアクチュエータとしての機能を発揮できなくなる間は、アクチュエータがセミアクティブダンパ或いはパッシブダンパとして機能するので、その間の鉄道車両における乗心地の悪化を抑制できる。
【００１４】
また、鉄道車両用制振装置は、指標が第二閾値を超過すると、指標が第三閾値以下になるまで、モータを駆動する駆動部へ与える電流指令のゲインを低下させるようになっていてもよい。このように構成された鉄道車両用制振装置によれば、モータが停止されずに推力が低下するもののアクチュエータがアクチュエータとして機能し続けるので、モータの通電を制限している最中の鉄道車両における乗心地の悪化を最小限に留め得る。
【００１５】
さらに、鉄道車両用制振装置は、指標が第二閾値を超過すると指標が第三閾値以下になるまで、モータの出力トルクを定格トルク未満に制限するようにしてもよい。このように構成された鉄道車両用制振装置によれば、モータが停止されずに推力が低下するもののアクチュエータがアクチュエータとして機能し続けるので、モータの通電を制限している最中の鉄道車両における乗心地の悪化を最小限に留め得る。
【００１６】
また、鉄道車両用制振装置は、シリンダとピストンとロッドとを備えるシリンダ本体と、タンクと、ロッド側室とピストン側室とを連通する第一通路の途中に設けた第一開閉弁と、ピストン側室とタンクとを連通する第二通路の途中に設けた第二開閉弁と、ロッド側室とタンクとを接続する排出通路と、排出通路の途中に設けた開弁圧を変更可能な可変リリーフ弁と、ピストン側室からロッド側室へ向かう作動流体の流れのみを許容する整流通路と、タンクからピストン側室へ向かう作動流体の流れのみを許容する吸込通路とをさらに備えており、ポンプはロッド側室へ作動流体を供給するようになっている。このように構成された鉄道車両用制振装置では、モータが停止されていても、アクチュエータがセミアクティブダンパとして機能するので、モータの停止中も制振効果が失われない。
【発明の効果】
【００１７】
本発明の鉄道車両用制振装置によれば、モータを過負荷から保護できるとともに鉄道車両における乗心地を向上できる。
【図面の簡単な説明】
【００１８】
【図１】一実施の形態における鉄道車両用制振装置を搭載した鉄道車両の断面図である。
【図２】一実施の形態の鉄道車両用制振装置におけるアクチュエータの回路図である。
【図３】一実施の形態の鉄道車両用制振装置における制御部の制御ブロック図である。
【図４】モータの電流値を決定する手順の一例を示したフローチャートである。
【発明を実施するための形態】
【００１９】
以下、図に示した実施の形態に基づき、本発明を説明する。一実施の形態における鉄道車両用制振装置１は、本例では、鉄道車両の車体Ｂの制振装置として使用され、図１に示すように、台車Ｔと車体Ｂとの間に設置されたアクチュエータＡと、制御部Ｃとを備えて構成されている。そして、本例の鉄道車両用制振装置１は、アクチュエータＡが発揮する推力で車体Ｂの車両進行方向に対して水平横方向の振動を抑制するようになっている。
【００２０】
アクチュエータＡは、本例では図２に示すように、鉄道車両の台車Ｔと車体Ｂの一方に連結されるシリンダ２と、シリンダ２内に摺動自在に挿入されるピストン３と、シリンダ２内に挿入されて一端がピストン３に連結されるとともに他端が台車Ｔと車体Ｂの他方に連結されるロッド４と、シリンダ２内にピストン３で区画したロッド側室５とピストン側室６とを備えるシリンダ本体Ｃｙに加え、作動油を貯留するタンク７と、タンク７から作動油を吸い上げてロッド側室５へ作動油を供給するポンプ１２と、ポンプ１２を駆動するモータ１５と、シリンダ本体Ｃｙの伸縮の切換と推力を制御するための流体圧回路ＨＣとを備えており、片ロッド型のアクチュエータとして構成されている。
【００２１】
また、前記ロッド側室５とピストン側室６には、本例では、作動流体として作動油が充填されるとともに、タンク７には、作動油の他に気体が充填されている。なお、タンク７内は、特に、気体を圧縮して充填して加圧状態とする必要は無い。また、作動流体は、作動油以外にも他の液体を利用してもよい。
【００２２】
流体圧回路ＨＣは、ロッド側室５とピストン側室６とを連通する第一通路８の途中に設けた第一開閉弁９と、ピストン側室６とタンク７とを連通する第二通路１０の途中に設けた第二開閉弁１１とを備えている。
【００２３】
そして、基本的には、第一開閉弁９で第一通路８を連通状態とし、第二開閉弁１１を閉じてポンプ１２を駆動すると、シリンダ本体Ｃｙが伸長し、第二開閉弁１１で第二通路１０を連通状態とし、第一開閉弁９を閉じてポンプ１２を駆動すると、シリンダ本体Ｃｙが収縮する。
【００２４】
以下、アクチュエータＡの各部について詳細に説明する。シリンダ２は筒状であって、その図２中右端は蓋１３によって閉塞され、図２中左端には環状のロッドガイド１４が取り付けられている。また、前記ロッドガイド１４内には、シリンダ２内に移動自在に挿入されるロッド４が摺動自在に挿入されている。このロッド４は、一端をシリンダ２外へ突出させており、シリンダ２内の他端をシリンダ２内に摺動自在に挿入されるピストン３に連結している。
【００２５】
なお、ロッドガイド１４の外周とシリンダ２との間は図示を省略したシール部材によってシールされており、これによりシリンダ２内は密閉状態に維持されている。そして、シリンダ２内にピストン３によって区画されるロッド側室５とピストン側室６には、前述のように作動油が充填されている。
【００２６】
また、このシリンダ本体Ｃｙの場合、ロッド４の断面積をピストン３の断面積の二分の一にして、ピストン３のロッド側室５側の受圧面積がピストン側室６側の受圧面積の二分の一となるようになっている。よって、伸長作動時と収縮作動時とでロッド側室５の圧力を同じくすると、伸縮の双方で発生される推力が等しくなり、シリンダ本体Ｃｙの変位量に対する作動油量も伸縮両側で同じとなる。
【００２７】
詳しくは、シリンダ本体Ｃｙを伸長作動させる場合、ロッド側室５とピストン側室６を連通させた状態とする。すると、ロッド側室５内とピストン側室６内の圧力が等しくなり、アクチュエータＡは、ピストン３におけるロッド側室５側とピストン側室６側の受圧面積差に前記圧力を乗じた推力を発生する。反対に、シリンダ本体Ｃｙを収縮作動させる場合、ロッド側室５とピストン側室６との連通を断ちピストン側室６をタンク７に連通させた状態とする。すると、アクチュエータＡは、ロッド側室５内の圧力とピストン３におけるロッド側室５側の受圧面積を乗じた推力を発生する。
【００２８】
要するに、アクチュエータＡの発生推力は伸縮の双方でピストン３の断面積の二分の一にロッド側室５の圧力を乗じた値となるのである。したがって、このアクチュエータＡの推力を制御する場合、伸長作動、収縮作動共に、ロッド側室５の圧力を制御すればよい。また、本例のアクチュエータＡでは、ピストン３のロッド側室５側の受圧面積をピストン側室６側の受圧面積の二分の一に設定しているので、伸縮両側で同じ推力を発生する場合に伸長側と収縮側でロッド側室５の圧力が同じとなるので制御が簡素となる。加えて、変位量に対する作動油量も同じとなるので伸縮両側で応答性が同じとなる利点がある。なお、ピストン３のロッド側室５側の受圧面積をピストン側室６側の受圧面積の二分の一に設定しない場合にあっても、ロッド側室５の圧力でアクチュエータＡの伸縮両側の推力を制御できる点は変わらない。
【００２９】
戻って、ロッド４の図２中左端とシリンダ２の右端を閉塞する蓋１３とには、図示しない取付部を備えており、このアクチュエータＡを鉄道車両における台車Ｔと車体Ｂとの間に介装できるようになっている。
【００３０】
そして、ロッド側室５とピストン側室６とは、第一通路８によって連通されており、この第一通路８の途中には、第一開閉弁９が設けられている。この第一通路８は、シリンダ２外でロッド側室５とピストン側室６とを連通しているが、ピストン３に設けられてもよい。
【００３１】
第一開閉弁９は、電磁開閉弁とされており、第一通路８を開放してロッド側室５とピストン側室６とを連通する連通ポジションと、第一通路８を遮断してロッド側室５とピストン側室６との連通を断つ遮断ポジションとを備えている。そして、この第一開閉弁９は、通電時に連通ポジションを採り、非通電時に遮断ポジションを採るようになっている。
【００３２】
つづいて、ピストン側室６とタンク７とは、第二通路１０によって連通されており、この第二通路１０の途中には、第二開閉弁１１が設けられている。第二開閉弁１１は、電磁開閉弁とされており、第二通路１０を開放してピストン側室６とタンク７とを連通する連通ポジションと、第二通路１０を遮断してピストン側室６とタンク７との連通を断つ遮断ポジションとを備えている。そして、この第二開閉弁１１は、通電時に連通ポジションを採り、非通電時に遮断ポジションを採るようになっている。
【００３３】
ポンプ１２は、モータ１５によって駆動され、一方向のみに作動油を吐出するポンプとされている。そして、ポンプ１２の吐出口は供給通路１６によってロッド側室５へ連通されるとともに吸込口はタンク７に通じていて、ポンプ１２は、モータ１５によって駆動されるとタンク７から作動油を吸込んでロッド側室５へ作動油を供給する。
【００３４】
前述のようにポンプ１２は、一方向のみに作動油を吐出するのみで回転方向の切換動作がないので、回転切換時に吐出量が変化するといった問題は皆無であり、安価なギアポンプ等を使用できる。さらに、ポンプ１２の回転方向が常に同一方向であるので、ポンプ１２を駆動する駆動源であるモータ１５にあっても回転切換に対する高い応答性が要求されず、その分、モータ１５も安価なものを使用できる。なお、供給通路１６の途中には、ロッド側室５からポンプ１２への作動油の逆流を阻止する逆止弁１７が設けられている。
【００３５】
さらに、本例の流体圧回路ＨＣは、前述の構成に加えて、ロッド側室５とタンク７とを接続する排出通路２１と、排出通路２１の途中に設けた開弁圧を変更可能な可変リリーフ弁２２を備えている。
【００３６】
可変リリーフ弁２２は、本例では、比例電磁リリーフ弁とされており、供給する電流量に応じて開弁圧を調節でき、電流量を最大とすると開弁圧を最小とし、電流を供給しないと開弁圧を最大とするようになっている。
【００３７】
このように、排出通路２１と可変リリーフ弁２２とを設けると、シリンダ本体Ｃｙを伸縮作動させる際に、ロッド側室５内の圧力を可変リリーフ弁２２の開弁圧に調節でき、アクチュエータＡの推力を可変リリーフ弁２２へ供給する電流量で制御できる。排出通路２１と可変リリーフ弁２２とを設けると、アクチュエータＡの推力を調節するために必要なセンサ類が不要となり、ポンプ１２の吐出流量の調節のためにモータ１５を高度に制御する必要もなくなる。よって、鉄道車両用制振装置１が安価となり、ハードウェア的にもソフトウェア的にも堅牢なシステムを構築できる。
【００３８】
なお、第一開閉弁９を連通ポジションとし第二開閉弁１１を遮断ポジションとする場合或いは第一開閉弁９を遮断ポジションとし第二開閉弁１１を連通ポジションとする場合、ポンプ１２の駆動状況に関わらず、伸長或いは収縮のいずれか一方に対してのみアクチュエータＡが減衰力を発揮できる。よって、たとえば、減衰力を発揮する方向が鉄道車両の台車Ｔの振動により車体Ｂを加振する方向である場合、そのような方向には減衰力を出さないようにアクチュエータＡを片効きのダンパとすることができる。よって、このアクチュエータＡは、カルノップ理論に基づくセミアクティブ制御を容易に実現できるため、セミアクティブダンパとしても機能できる。
【００３９】
なお、可変リリーフ弁２２に与える電流量で開弁圧を比例的に変化させる比例電磁リリーフ弁を用いると開弁圧の制御が簡単となるが、開弁圧を調節できる可変リリーフ弁であれば比例電磁リリーフ弁に限定されない。
【００４０】
そして、可変リリーフ弁２２は、第一開閉弁９および第二開閉弁１１の開閉状態に関わらず、シリンダ本体Ｃｙに伸縮方向の過大な入力があって、ロッド側室５の圧力が開弁圧を超える状態となると、排出通路２１を開放する。このように、可変リリーフ弁２２は、ロッド側室５の圧力が開弁圧以上となると、ロッド側室５内の圧力をタンク７へ排出するので、シリンダ２内の圧力が過大となるのを防止してアクチュエータＡのシステム全体を保護する。よって、排出通路２１と可変リリーフ弁２２とを設けると、システムの保護も可能となる。
【００４１】
さらに、本例のアクチュエータＡにおける流体圧回路ＨＣは、ピストン側室６からロッド側室５へ向かう作動油の流れのみを許容する整流通路１８と、タンク７からピストン側室６へ向かう作動油の流れのみを許容する吸込通路１９を備えている。よって、本例のアクチュエータＡでは、第一開閉弁９および第二開閉弁１１が閉弁する状態でシリンダ本体Ｃｙが伸縮すると、シリンダ２内から作動油が押し出される。シリンダ２内から排出された作動油の流れに対して可変リリーフ弁２２が抵抗を与えるので、第一開閉弁９および第二開閉弁１１が閉弁する状態では、本例のアクチュエータＡはユニフロー型のダンパとして機能する。
【００４２】
より詳細には、整流通路１８は、ピストン側室６とロッド側室５とを連通しており、途中に逆止弁１８ａが設けられ、ピストン側室６からロッド側室５へ向かう作動油の流れのみを許容する一方通行の通路に設定されている。さらに、吸込通路１９は、タンク７とピストン側室６とを連通しており、途中に逆止弁１９ａが設けられ、タンク７からピストン側室６へ向かう作動油の流れのみを許容する一方通行の通路に設定されている。なお、整流通路１８は、第一開閉弁９の遮断ポジションを逆止弁とすると第一通路８に集約でき、吸込通路１９についても、第二開閉弁１１の遮断ポジションを逆止弁とすると第二通路１０に集約できる。
【００４３】
このように構成されたアクチュエータＡでは、第一開閉弁９と第二開閉弁１１がともに遮断ポジションを採っても、整流通路１８、吸込通路１９および排出通路２１で、ロッド側室５、ピストン側室６およびタンク７を数珠繋ぎに連通させる。また、整流通路１８、吸込通路１９および排出通路２１は、一方通行の通路に設定されている。よって、シリンダ本体Ｃｙが外力によって伸縮すると、シリンダ２から必ず作動油が排出されて排出通路２１を介してタンク７へ戻され、シリンダ２で足りなくなる作動油は吸込通路１９を介してタンク７からシリンダ２内へ供給される。この作動油の流れに対して前記可変リリーフ弁２２が抵抗となってシリンダ２内の圧力を開弁圧に調節するので、アクチュエータＡは、パッシブなユニフロー型のダンパとして機能する。
【００４４】
また、アクチュエータＡの各機器への通電が不能となるようなフェール時には、第一開閉弁９と第二開閉弁１１のそれぞれが遮断ポジションを採り、可変リリーフ弁２２は、開弁圧が最大に固定された圧力制御弁として機能する。よって、このようなフェール時には、アクチュエータＡは、自動的に、パッシブダンパとして機能する。
【００４５】
つづいて、アクチュエータＡに所望の伸長方向の推力を発揮させる場合、制御部Ｃは、基本的には、モータ１５を回転させてポンプ１２からシリンダ２内へ作動油を供給しつつ、第一開閉弁９を連通ポジションとし、第二開閉弁１１を遮断ポジションとする。このようにすると、ロッド側室５とピストン側室６とが連通状態におかれて両者にポンプ１２から作動油が供給され、ピストン３が図２中左方へ押されアクチュエータＡは伸長方向の推力を発揮する。ロッド側室５内およびピストン側室６内の圧力が可変リリーフ弁２２の開弁圧を上回ると、可変リリーフ弁２２が開弁して作動油が排出通路２１を介してタンク７へ排出される。よって、ロッド側室５内およびピストン側室６内の圧力は、可変リリーフ弁２２に与える電流量で決まる可変リリーフ弁２２の開弁圧にコントロールされる。そして、アクチュエータＡは、ピストン３におけるピストン側室６側とロッド側室５側の受圧面積差に可変リリーフ弁２２によってコントロールされるロッド側室５内およびピストン側室６内の圧力を乗じた値の伸長方向の推力を発揮する。
【００４６】
これに対して、アクチュエータＡに所望の収縮方向の推力を発揮させる場合、制御部Ｃは、モータ１５を回転させてポンプ１２からロッド側室５内へ作動油を供給しつつ、第一開閉弁９を遮断ポジションとし、第二開閉弁１１を連通ポジションとする。このようにすると、ピストン側室６とタンク７が連通状態におかれるとともにロッド側室５にポンプ１２から作動油が供給されるので、ピストン３が図２中右方へ押されアクチュエータＡは収縮方向の推力を発揮する。そして、前述と同様に、可変リリーフ弁２２の電流量を調節すると、アクチュエータＡは、ピストン３におけるロッド側室５側の受圧面積と可変リリーフ弁２２にコントロールされるロッド側室５内の圧力を乗じた収縮方向の推力を発揮する。
【００４７】
また、アクチュエータＡにあっては、アクチュエータとして機能するのみならず、モータ１５の駆動状況に関わらず、第一開閉弁９と第二開閉弁１１の開閉のみでダンパとしても機能できる。また、アクチュエータＡをアクチュエータからダンパへ切換る際に、面倒かつ急峻な第一開閉弁９と第二開閉弁１１の切換動作を伴わないので、応答性および信頼性が高いシステムを提供できる。
【００４８】
なお、本例のアクチュエータＡにあっては、片ロッド型に設定されているので、両ロッド型のアクチュエータと比較してストローク長を確保しやすく、アクチュエータの全長が短くなって、鉄道車両への搭載性が向上する。
【００４９】
また、本例のアクチュエータＡにおけるポンプ１２からの作動油供給および伸縮作動による作動油の流れは、ロッド側室５、ピストン側室６を順に通過して最終的にタンク７へ還流するようになっている。そのため、ロッド側室５あるいはピストン側室６内に気体が混入しても、シリンダ本体Ｃｙの伸縮作動によって自立的にタンク７へ排出されるので、推力発生の応答性の悪化を阻止できる。したがって、アクチュエータＡの製造にあたって、面倒な油中での組立や真空環境下での組立を強いられず、作動油の高度な脱気も不要となるので、生産性が向上するとともに製造コストを低減できる。さらに、ロッド側室５あるいはピストン側室６内に気体が混入しても、気体は、シリンダ本体Ｃｙの伸縮作動によって自立的にタンク７へ排出されるので、性能回復のためのメンテナンスを頻繁に行う必要もなくなり、保守面における労力とコスト負担を軽減できる。
【００５０】
つづいて、制御部Ｃについて説明する。制御部Ｃは、図３に示すように、車体Ｂの車両進行方向に対して水平横方向の横方向加速度ａを検出する加速度センサ４０と、横方向加速度ａに含まれる曲線走行時の定常加速度、ドリフト成分やノイズを除去するバンドパスフィルタ４１と、バンドパスフィルタ４１で濾波した横方向加速度ａを処理して、アクチュエータＡのモータ１５、第一開閉弁９、第二開閉弁１１、可変リリーフ弁２２へ制御指令を出力する制御処理部４２とを備えて構成され、アクチュエータＡの推力を制御する。なお、バンドパスフィルタ４１で横方向加速度ａに含まれる曲線走行時の定常加速度が除去されるので、乗心地を悪化させる振動のみを抑制できる。
【００５１】
制御処理部４２は、図３に示すように、加速度センサ４０で検知した横方向加速度ａに基づいてアクチュエータＡで発生すべき推力である制御力Ｆを求める制御力演算部４２１と、モータ１５の回転速度を監視してモータ１５を所定の回転速度で回転駆動するためにモータ１５に与えるべき電流値Ｉを求めるモータ電流値演算部４２２と、電流値Ｉの入力を受けて最終的にモータ１５へ与える電流指令Ｉｅを決定するモータ電流値決定部４２３と、制御力Ｆに基づいて可変リリーフ弁２２へ与えるリリーフ弁電流値ＩＲを求めるリリーフ弁電流値演算部４２４と、制御力Ｆの入力を受けて第一開閉弁９および第二開閉弁１１を切換駆動する開閉弁駆動部４２５と、リリーフ弁電流値ＩＲの入力を受けて可変リリーフ弁２２へ供給する電流量を制御するリリーフ弁制御部４２６と、電流指令Ｉｅの入力を受けてモータ１５へ電流指令Ｉｅ通りに電流を供給してモータ１５を駆動する駆動部としてのモータドライバ４２７とを備えて構成されている。
【００５２】
制御力演算部４２１は、本例では、Ｈ∞制御器とされており、横方向加速度ａから車体Ｂの振動を抑制するためにアクチュエータＡが出力すべき推力を指示する制御力Ｆを求める。なお、制御力Ｆは、方向により正負の符号が付されており、符号はアクチュエータＡに出力させるべき推力の方向を示す。開閉弁駆動部４２５は、制御力Ｆの入力を受けると、制御力Ｆの符号に応じて第一開閉弁９と第二開閉弁１１に電流供給或いは電流供給を停止して開閉駆動させる。より詳細には、アクチュエータＡの伸長方向を正とし、収縮方向を負とする場合、開閉弁駆動部４２５は、第一開閉弁９と第二開閉弁１１を以下のように動作させる。制御力Ｆの符号が正である場合、アクチュエータＡの推力発揮方向が伸長方向であるので、開閉弁駆動部４２５は、第一開閉弁９を連通ポジションとしつつ第二開閉弁１１を遮断ポジションとする。すると、ポンプ１２からロッド側室５とピストン側室６の双方に作動油が供給されてアクチュエータＡは伸長方向の推力を発揮する。他方、制御力Ｆの符号が負である場合、アクチュエータＡの推力発揮方向が収縮方向であるので、開閉弁駆動部４２５は、第一開閉弁９を遮断ポジションとしつつ第二開閉弁１１を連通ポジションとする。すると、ポンプ１２からロッド側室５のみに作動油が供給されてピストン側室６とタンク７とが連通されるので、アクチュエータＡは収縮方向の推力を発揮する。
【００５３】
なお、制御力演算部４２１は、本例では、横方向加速度ａのみから制御力Ｆを求めているが、車体Ｂのスエー加速度とヨー加速度とに基づいて、車体Ｂのスエーを抑制する制御力とヨーを抑制する制御力を別々に求め、これらを加算して制御力Ｆを求めてもよい。また、制御力演算部４２１は、横方向加速度ａから車体Ｂの速度を求めてスカイフックゲインを乗じて制御力Ｆを求めるスカイフック制御を行う制御器であってもよい。
【００５４】
モータ電流値演算部４２２は、モータ１５の回転速度を検知するセンサ４３とモータ１５に流れる電流量を検知するセンサ４４から回転速度と電流量の入力を受け、モータ１５の回転速度とモータ１５に流れる電流量を監視する。そして、モータ電流値演算部４２２は、速度ループと電流ループを備えており、モータ１５の回転速度と電流量をフィードバックして、モータ１５を所定の回転速度で駆動させるためにモータ１５に与えるべき電流値Ｉを求める。モータ１５の回転速度は、モータ１５がブラシレスモータである場合、通常、モータ１５に備えられる電気角を検知するためのレゾルバやホール素子等をセンサ４３として利用すればよい。また、モータ１５の電流量は、モータ１５が通常備えている電流センサをセンサ４４として用いればよい。所定の回転速度については、鉄道車両用制振装置１を適用する鉄道車両の制振に最適な値に予め決めればよい。つまり、モータ電流値演算部４２２は、所定の回転速度を目標回転速度として、モータ１５の回転速度と目標回転速度の偏差に基づいて目標電流値を求め、目標電流値とモータ１５に実際に流れている電流量との偏差に基づいてモータ１５へ与えるべき電流値Ｉを求める。
【００５５】
モータ電流値決定部４２３は、センサ４４が検知したモータ１５に流れる電流に基づいて指標Ｈｉを求める。指標Ｈｉは、モータ１５の過熱状態を示す値である。モータ１５は、出力するトルクが定格トルク以内となるように駆動される場合、継続的に駆動されても焼損の恐れがないので、継続駆動が可能である。他方、モータ１５の出力トルクが定格トルクを超過する状態を継続してモータ１５を駆動すると発熱によって焼損する可能性がある。モータ１５の発熱量は、定格トルクをどの程度上回るトルクが何秒出力されているかで決まる。センサ４３でモータ１５の回転速度を検知し、センサ４４でモータ１５に流れる電流量を検知しているので、既知の回転速度と電流量からモータ１５のトルクは求められる。指標Ｈｉは、求めたモータ１５のトルクから定格トルクを差し引いた差分を用いて求められる。具体的には、モータ電流値決定部４２３は、所定の制御周期で指標Ｈｉを求める演算を実行しているので、前回演算時に得られた指標Ｈｉの値に、今回演算時に得られる加算値を加算して指標Ｈｉを順次更新する。
【００５６】
加算値の演算に当たっては、モータ１５が制御周期の時間の間に定格トルクを超えるトルクを出力する場合に前記差分に応じてどの程度モータ１５の温度が上昇するか、および、モータ１５が制御周期の時間の間に定格トルク以下のトルクを出力すると差分に応じてどの程度モータ１５の温度が低下するかを把握しておき、前記差分をパラメータとして数式化しておく。つまり、モータ１５が制御周期の時間の間に定格トルクを超えるトルクを出力する場合の温度上昇についての数式と、モータ１５が制御周期の時間の間に定格トルク未満のトルクを出力する場合の温度低下についての数式とが予め用意される。なお、これらの数式は、モータ１５の仕様によって理論的あるいは試験的に求めればよい。
【００５７】
よって、モータ電流値決定部４２３は、モータ１５の出力トルクが定格トルクを超過する場合、温度上昇に使用される数式を利用して差分をインプットして加算値を求める。他方、モータ電流値決定部４２３は、モータ１５の出力トルクが定格トルク未満である場合、温度低下に使用される数式を利用して差分をインプットして加算値を求める。温度上昇の数式で求められた加算値は、差分の符号が正であるので、正の値を持ち、温度低下の数式で求められた加算値は、差分の符号が負であるので、負の値を持つ。そして、モータ電流値決定部４２３は、こうして求めた加算値を前回の制御周期で求めた指標Ｈｉに加算して指標Ｈｉの値を更新する。
【００５８】
そして、モータ電流値決定部４２３は、更新後の指標Ｈｉと第一閾値αとを比較して指標Ｈｉが第一閾値αを超過すると、モータ１５が焼損する恐れがあるので、モータ１５を強制停止すべく、最終的にモータ１５へ与える電流指令Ｉｅを０とする緊急停止処理を行う。この電流指令Ｉｅは、モータ１５を駆動するモータドライバ４２７に与えられる最終的な電流指令となる。指標Ｈｉは、前述したとおり、モータ１５の過熱状態を示す値であってモータ１５の温度が高温となればなるほど大きな値を採る。第一閾値αは、指標Ｈｉがモータ１５が焼損する温度に達することを示唆する値或いはこの値よりも若干低い値に設定されている。よって、モータ電流値決定部４２３は、指標Ｈｉが第一閾値αを超過すると直ちにモータドライバ４２７へ与える最終的な電流指令Ｉｅを０としてモータ１５への通電を停止させてモータ１５を保護する。つまり、モータ電流値決定部４２３は、モータ１５を保護する保護機能を備えている。なお、指標Ｈｉの算出については、モータドライバ４２７に搭載される演算処理装置によって行ってもよく、緊急停止処理を実行する保護機能についてもモータドライバ４２７が備えていてもよい。
【００５９】
また、モータ電流値決定部４２３は、更新後の指標Ｈｉと第一閾値αよりも低い値に設定される第二閾値βとを比較して指標Ｈｉが第二閾値β以下であると、モータ電流値演算部４２２が求めた電流値Ｉをそのまま最終的な電流指令Ｉｅとしてモータドライバ４２７へ出力する。これに対して、モータ電流値決定部４２３は、更新後の指標Ｈｉと第二閾値βとを比較して指標Ｈｉが第二閾値βを超過すると、モータ１５へ与える電流を低く制限するモータ電流制限処理を実行する。本実施の形態では、モータ電流値決定部４２３は、更新後の指標Ｈｉが第二閾値βを超過すると、直ちにモータドライバ４２７へ与える最終的な電流指令Ｉｅを０として、モータ１５への通電を停止して指標Ｈｉが低下するように制御する。
モータ１５への通電を停止させた後も、モータ電流値決定部４２３は、加算値を求めて指標Ｈｉの値を更新する。モータ１５の通電停止後は、モータ１５の温度は低下するので、指標Ｈｉの値は、モータ１５の放熱によって徐々に低下する。つまり、モータ電流値決定部４２３は、第一閾値αよりも低い値に設定される第二閾値βを使用して、指標Ｈｉが第二閾値βを超過するとモータ電流制限処理を実行するので、モータ１５の緊急停止処理を行う前にモータ１５の温度を低下させるのである。なお、第二閾値βは、指標Ｈｉが第二閾値β以下であったにも関わらず、次回の制御周期で求められた指標Ｈｉが第一閾値αを超過してしまうことがないように設定されればよい。
【００６０】
そして、モータ電流値決定部４２３は、更新後の指標Ｈｉと第二閾値βよりも低い値に設定される第三閾値γとを比較して指標Ｈｉが第三閾値γ以下となると、モータ１５の温度が充分低下しているのでモータ１５への通常通りの通電を再開すべく、モータ電流値演算部４２２が求めた電流値Ｉをそのまま最終的な電流指令Ｉｅとしてモータドライバ４２７へ出力する。第三閾値γは、モータ１５の温度が充分低下しているのを認識できる指標Ｈｉの値に設定されればよい。第二閾値βと第三閾値γとの差が小さいと、モータ電流制限制御のオンオフが振動的に繰り返される可能性があるので、第二閾値βと第三閾値γとの値はこのような制御のオンオフが振動的にならないように配慮して設定されればよい。
【００６１】
モータ電流値演算部４２２とモータ電流値決定部４２３の処理を図４に示したフローチャートを用いて説明する。まず、制御部Ｃは、モータ１５の回転速度とモータ１５に流れている電流量を検知する（ステップＦ１）。つづいて、検知した回転速度と電流量に基づいてモータ１５へ与えるべき電流値Ｉを求める（ステップＦ２）。さらに、制御部Ｃは、指標Ｈｉを求める（ステップＦ３）。つづいて、制御部Ｃは、０または１の値をとる制御フラグが１であるか否かを判断する（ステップＦ４）。制御フラグが１でない場合、制御部Ｃは、指標Ｈｉと第一閾値αとを比較し（ステップＦ５）、指標Ｈｉが第一閾値αを超過している場合、緊急停止処理を実行し電流指令Ｉｅを０として（ステップＦ６）、処理を終了する。この場合、制御部Ｃは、モータ１５のリセットを行わないと制御を行えないため、第一開閉弁９、第二開閉弁１１および可変リリーフ弁２２のみの制御を継続してアクチュエータＡをセミアクティブダンパとして機能させる。なお、制御部Ｃは、フェールモードへ移行して第一開閉弁９、第二開閉弁１１および可変リリーフ弁２２に一切通電せず、アクチュエータＡをパッシブダンパとして機能させてもよい。
【００６２】
他方、指標Ｈｉが第一閾値α以下である場合、制御部Ｃは、指標Ｈｉと第二閾値βとを比較し（ステップＦ７）、指標Ｈｉが第二閾値β以下である場合には、モータ１５への通電を継続しても問題ないので電流値Ｉを電流指令Ｉｅとする（ステップＦ８）。制御部Ｃは、指標Ｈｉが第二閾値βを超過している場合、制御フラグを１に設定し（ステップＦ９）、モータ１５への通電を継続すると緊急停止処理が実行される恐れがあるのでモータ電流制限処理を実行して電流指令Ｉｅを０とする（ステップＦ１０）。なお、制御部Ｃは、モータ１５の駆動が制限されるだけであるから、第一開閉弁９、第二開閉弁１１および可変リリーフ弁２２のみの制御を継続してアクチュエータＡをセミアクティブダンパとして機能させる。なお、制御部Ｃは、アクチュエータＡをパッシブダンパとして機能させてもよい。また、この場合、制御部Ｃは、モータ電流制限処理を実行するがモータ１５の温度が低下すればモータ１５の駆動を再開するため、指標Ｈｉの演算を繰り返すべくステップＦ１の処理へ移行する。つまり、制御フラグは、指標Ｈｉが第二閾値βを超過した状態であるか否かを判定するためのフラグであり、値が１であると指標Ｈｉが第二閾値βを超過した状態を示し、値が０であると指標Ｈｉが第二閾値βを超過していない状態を示している。
【００６３】
そして、ステップＦ４の判断で制御フラグが１の場合、モータ電流制限処理が実行中であるため、制御部Ｃは、指標Ｈｉが第三閾値γ以下であるかを判断する（ステップＦ１１）。制御部Ｃは、指標Ｈｉが第三閾値γ以下である場合、モータ１５の通電を再開すべく電流値Ｉを電流指令Ｉｅとし（ステップＦ１１）、制御フラグの値を０として（ステップＦ１２）、ステップＦ１の処理へ戻る。他方、指標Ｈｉが第三閾値γを超過している場合には、制御部Ｃは、電流値Ｉを０として（ステップＦ１２）、ステップＦ１の処理へ戻る。以上の処理を繰り返して、モータ電流値演算部４２２とモータ電流値決定部４２３は、最終的な電流指令Ｉｅを決定する。
【００６４】
つづいて、リリーフ弁電流値演算部４２４は、前述のようにそれぞれ求められた制御力Ｆに基づいて可変リリーフ弁２２へ供給するリリーフ弁電流値ＩＲを求める。ここで、可変リリーフ弁２２は、供給される電流量に比例して開弁圧が変化するが、通過流量に応じて圧力損失が増加する圧力オーバーライドを有する特性を備えている。モータ１５の回転速度が所定の回転速度で等速回転しており、可変リリーフ弁２２を通過する作動油量がある程度想定できるので、リリーフ弁電流値演算部４２４は、圧力オーバーライドを加味して前記リリーフ弁電流値ＩＲを求める。
【００６５】
リリーフ弁制御部４２６は、本例では、可変リリーフ弁２２の符示しないソレノイドを駆動するドライバとされていて、リリーフ弁電流値ＩＲの入力を受けて可変リリーフ弁２２へリリーフ弁電流値ＩＲ通りの電流量を供給する。
【００６６】
モータドライバ４２７は、モータ１５へ電流を供給する。モータ１５が駆動してポンプ１２は、回転する。モータドライバ４２７は、本例では、電流指令Ｉｅの入力を受けて、モータ１５をＰＷＭ制御して、モータ１５に流れる電流量が電流指令Ｉｅの指示する電流量となるようにモータ１５を駆動する。
【００６７】
なお、制御部Ｃは、ハードウェア資源としては、図示はしないが具体的にはたとえば、加速度センサ４０、センサ４３，４４が出力する信号を取り込むためのＡ／Ｄ変換器と、バンドパスフィルタ４１で濾波した横方向加速度ａを取り込んでアクチュエータＡを制御するのに必要な処理に使用されるプログラムが格納されるＲＯＭ（Ｒｅａｄ  Ｏｎｌｙ  Ｍｅｍｏｒｙ）等の記憶装置と、前記プログラムに基づいた処理を実行するＣＰＵ（Ｃｅｎｔｒａｌ  Ｐｒｏｃｅｓｓｉｎｇ  Ｕｎｉｔ）等の演算装置と、前記ＣＰＵに記憶領域を提供するＲＡＭ（Ｒａｎｄｏｍ  Ａｃｃｅｓｓ  Ｍｅｍｏｒｙ）等の記憶装置とを備えて構成されればよく、制御部Ｃの制御処理部４２における各部は、ＣＰＵの前記プログラムの実行により実現できる。また、バンドパスフィルタ４１は、前記ＣＰＵのプログラムの実行により実現されてもよい。
【００６８】
このように鉄道車両用制振装置１は、作動油（作動流体）の供給により伸縮するシリンダ本体Ｃｙと、シリンダ本体Ｃｙへ作動油（作動流体）を供給するポンプ１２と、ポンプ１２を駆動するモータ１５とを有して鉄道車両に設置されるアクチュエータＡと、モータ１５を制御する制御部Ｃとを備え、制御部Ｃは、モータ１５の過熱状態を示す指標Ｈｉが第一閾値αを超過すると強制停止する保護機能を有し、指標Ｈｉが第一閾値αよりも低い第二閾値βを超過すると、指標Ｈｉが第二閾値βよりも低い第三閾値γ以下になるまで指標Ｈｉが低下するようにモータ１５への通電を制御するようになっている。
【００６９】
このように本発明の鉄道車両用制振装置１は、第一閾値αよりも低い値に設定される第二閾値βを使用して、指標Ｈｉが第二閾値βを超過するとモータ電流制限処理を実行するので、モータ１５の焼損を防止できモータ１５を過負荷から保護でき、緊急停止処理を行う前にモータ１５の温度を低下させ得る。また、本発明の鉄道車両用制振装置１は、指標Ｈｉと第二閾値βよりも低い値に設定される第三閾値γとを比較してモータ１５への通常通りの通電を再開するので、モータ１５の温度を充分に低下させてからモータ１５への通常通電を再開できる。よって、本発明の鉄道車両用制振装置１では、モータ１５が緊急停止される前にモータ１５に流れる電流を制限でき、モータ１５の温度が低下すればモータ１５の駆動が再開される。以上より、本発明の鉄道車両用制振装置１によれば、モータ１５を過負荷から保護できるとともに、モータ１５の温度が低下すればモータ１５の通常通電を再開するので、車両における乗心地を向上できる。
【００７０】
また、本実施の形態の鉄道車両用制振装置１にあっては、指標Ｈｉが第一閾値αよりも低い第二閾値βを超過すると、指標Ｈｉが第二閾値βよりも低い第三閾値γ以下になるまで制御部Ｃがモータ１５への通電を停止するようになっている。このように構成された鉄道車両用制振装置１によれば、モータ１５への通電を停止するので、モータ１５の温度上昇を速やかに停止させ得るので、モータ１５の停止から通常通電の再開までに要する時間が短くて済む。よって、このように構成された鉄道車両用制振装置１によれば、アクチュエータがアクチュエータとして機能できない時間が短くなり、鉄道車両における乗心地が悪化する時間を最小限に留め得る。
【００７１】
さらに、本実施の形態の鉄道車両用制振装置１にあっては、モータ１５が停止しているとアクチュエータＡがセミアクティブダンパ或いはパッシブダンパとして機能する。このように構成された鉄道車両用制振装置１では、モータ１５が停止されてから通常通電に復帰するまでのアクチュエータＡがアクチュエータとしての機能を発揮できなくなる間は、アクチュエータＡがセミアクティブダンパ或いはパッシブダンパとして機能するので、その間の鉄道車両における乗心地の悪化を抑制できる。
【００７２】
なお、鉄道車両用制振装置１は、指標Ｈｉが第二閾値βを超過すると、指標Ｈｉが第三閾値γ以下になるまで、モータ１５を駆動するモータドライバ（駆動部）４２７へ与える電流指令Ｉｅのゲインを低下させるようになっていてもよい。つまり、モータ電流値決定部４２３は、モータ電流値演算部４２２が求めた電流値ＩにゲインＫを乗じて最終的な電流指令Ｉｅを求めるようにし、指標Ｈｉが第二閾値β以下ではゲインＫを１として、指標Ｈｉが第二閾値βを超過するとゲインＫの値を０以上１未満の値に設定して電流指令Ｉｅを求めるようにしてもよい。このようにすると、電流値Ｉがモータ１５に定格トルクを超過するトルクを出力するような指示となっていても、電流指令Ｉｅが電流値Ｉに対して低減されるので、指標Ｈｉが低下するようにモータ１５への通電が制御されて、モータ１５の発熱を抑えて温度を低下させ得る。このように構成された鉄道車両用制振装置１では、モータ１５が停止されずに推力が低下するもののアクチュエータＡがアクチュエータとして機能し続けるので、モータ１５の通電を制限している最中の鉄道車両における乗心地の悪化を最小限に留め得る。
【００７３】
また、鉄道車両用制振装置１は、指標Ｈｉが第二閾値βを超過すると指標Ｈｉが第三閾値γ以下になるまで、モータ１５の出力トルクを定格トルク未満に制限するようにしてもよい。この場合、モータ電流値決定部４２３は、モータ電流値演算部４２２が求めた電流値Ｉが定格トルクを超過するトルクをモータ１５に出力させる場合には、電流値Ｉをモータ１５が出力トルクを定格トルクとする値にクランプするリミッタとして機能すればよい。このようにすると、電流値Ｉがモータ１５に定格トルクを超過するトルクを出力するような指示となっていても、モータ１５の出力トルクが定格トルクを超過しないので、指標Ｈｉが低下するようにモータ１５への通電が制御されて、モータ１５の発熱を抑えて温度を低下させ得る。このように構成された鉄道車両用制振装置１では、モータ１５が停止されずに推力が低下するもののアクチュエータＡがアクチュエータとして機能し続けるので、モータ１５の通電を制限している最中の鉄道車両における乗心地の悪化を最小限に留め得る。
【００７４】
さらに、本例の鉄道車両用制振装置１は、シリンダ２とピストン３とロッド４とを備えるシリンダ本体Ｃｙと、タンク７と、ロッド側室５とピストン側室６とを連通する第一通路８の途中に設けた第一開閉弁９と、ピストン側室６とタンク７とを連通する第二通路１０の途中に設けた第二開閉弁１１と、ロッド側室５とタンク７とを接続する排出通路２１と、排出通路２１の途中に設けた開弁圧を変更可能な可変リリーフ弁２２と、ピストン側室６からロッド側室５へ向かう作動油の流れのみを許容する整流通路１８と、タンク７からピストン側室６へ向かう作動油の流れのみを許容する吸込通路１９とさらに備えており、ポンプ１２はロッド側室５へ作動油を供給するようになっている。このように構成された鉄道車両用制振装置１では、モータ１５が停止されていても、アクチュエータＡがセミアクティブダンパとして機能するので、モータ１５の停止中も制振効果が失われない。
【００７５】
以上、本発明の好ましい実施の形態を詳細に説明したが、特許請求の範囲から逸脱しない限り、改造、変形、および変更が可能である。
【符号の説明】
【００７６】
１・・・鉄道車両用制振装置、２・・・シリンダ、３・・・ピストン、４・・・ロッド、５・・・ロッド側室、６・・・ピストン側室、７・・・タンク、８・・・第一通路、９・・・第一開閉弁、１０・・・第二通路、１１・・・第二開閉弁、１２・・・ポンプ、１５・・・モータ、１８・・・整流通路、１９・・・吸込通路、２１・・・排出通路、２２・・・可変リリーフ弁、４２７・・・モータドライバ（駆動部）、Ａ・・・アクチュエータ、Ｃ・・・制御部、Ｃｙ・・・シリンダ本体、Ｈｉ・・・指標、α・・・第一閾値、β・・・第二閾値、γ・・・第三閾値
【図１】
2019155935.tif 000003
【図２】
2019155935.tif 000004
【図３】
2019155935.tif 000005
【図４】
2019155935.tif 000006